(57)【要約】フレネルレンズと、凹面および凸面を有する単一要素メニスカス投影レンズ（１３２）と、フレネルレンズ（１１２）と投影レンズ（１３２）との間の光路に配置された折り畳み式ミラーと、を備えているオーバーヘッドプロジェクタ（１００）に関する。投影レンズは、フレネルレンズ（１１２）に光学的に面している凹面を有するように指向されている。オーバーヘッドプロジェクタの光学設計は、以下の式に従う。ＦＦｒｅｓ＝（ＦＬｅｎｓ（ＭＬｅｎｓ＋１）／ＭＬｅｎｓ−ＳＬＤ）／（ＭＦｒｅｓ＋１）（式中、フレネルレンズは焦点距離ＦＦｒｅｓおよび倍率ＭＦｒｅｓを有し、投影レンズは焦点距離ＦＬｅｎｓおよび倍率ＭＬｅｎｓを有し、ＳＬＤは絞り位置から投影レンズまでの距離である。）
2004523007.tif 000002
【特許請求の範囲】
【請求項１】
ａ）フレネルレンズを備える透過ステージと、
ｂ）前記ステージの上に配置される投影ヘッドであって、ミラーおよび単一要素メニスカス投影レンズを備え、フレネルレンズ焦点が投影レンズ絞り位置を規定する投影ヘッドと、を備えるオーバーヘッドプロジェクタであって、
ｃ）光路が、前記フレネルレンズから前記投影ヘッドまでと、前記フレネルレンズから投影面上までとによって規定され、前記ミラーが前記光路に沿った前記投影レンズの前に配置され、前記絞り位置が前記投影レンズと前記ミラーとの間にあるオーバーヘッドプロジェクタ。
【請求項２】
ＦＦｒｅｓ＝（ＦＬｅｎｓ（ＭＬｅｎｓ＋１）／ＭＬｅｎｓ−ＳＬＤ）／（ＭＦｒｅｓ＋１）
であり、前記フレネルレンズは焦点距離ＦＦｒｅｓおよび倍率ＭＦｒｅｓを有し、前記投影レンズは焦点距離ＦＬｅｎｓおよび倍率ＭＬｅｎｓを有し、ＳＬＤは前記絞り位置から前記投影レンズまでの距離である、請求項１に記載のオーバーヘッドプロジェクタ。
【請求項３】
２５０ｍｍ＜ＦＬｅｎｓ＜４００ｍｍ
である、請求項２に記載のオーバーヘッドプロジェクタ。
【請求項４】
前記単一要素メニスカスレンズは凸面および凹面を有し、前記投影レンズの凹面が前記ミラーに面する、請求項１に記載のオーバーヘッドプロジェクタ。
【請求項５】
前記投影レンズの焦点距離は約３５５ｍｍであり、前記フレネルレンズの焦点距離が約１７５ｍｍである、請求項１に記載のオーバーヘッドプロジェクタ。
【請求項６】
前記投影レンズの焦点距離は約２９２ｍｍであり、前記フレネルレンズの焦点距離が約１４０ｍｍである、請求項１に記載のオーバーヘッドプロジェクタ。
【請求項７】
前記投影レンズの焦点距離は約４００ｍｍであり、前記フレネルレンズの焦点距離が約２００ｍｍである、請求項１に記載のオーバーヘッドプロジェクタ。
【請求項８】
光源をさらに備え、前記フレネルレンズが焦点を形成し、前記焦点が前記ミラーと前記投影レンズとの間に位置し、前記焦点へのアクセスを制限するための保護枠をさらに備える、請求項１に記載のオーバーヘッドプロジェクタ。
【請求項９】
前記フレネルレンズが光円錐を規定し、前記ミラーが前記ミラーで光円錐のサイズに対応する寸法を有する低プロファイルミラーである、請求項１に記載のオーバーヘッドプロジェクタ。
【請求項１０】
ａ）焦点距離ＦＦｒｅｓおよび倍率ＭＦｒｅｓを有するフレネルレンズと、
ｂ）焦点距離ＦＬｅｎｓおよび倍率ＭＬｅｎｓを有する投影レンズであって、フレネルレンズの焦点が投影レンズ絞り位置を形成する投影レンズと、
ｃ）前記投影レンズと前記フレネルレンズとの間の光路に配置されるミラーと、を備える投影システムであって、
ｄ）ＦＦｒｅｓ＝（ＦＬｅｎｓ（ＭＬｅｎｓ＋１）／ＭＬｅｎｓ−ＳＬＤ）／（ＭＦｒｅｓ＋１）
であり、ＳＬＤが前記投影レンズ絞り位置から前記投影レンズまでの距離であり、前記絞り位置が前記ミラーと前記投影レンズとの間であること投影システム。
【請求項１１】
前記投影レンズが凸面および凹面を有する単一要素メニスカスレンズであり、前記凹面が前記フレネルレンズに光学的に面する、請求項１０に記載の投影システム。
【請求項１２】
ＦＬｅｎｓが前記投影レンズの焦点距離であり、
２５０ｍｍ＜ＦＬｅｎｓ＜４００ｍｍ
である、請求項１０に記載の投影システム。
【請求項１３】
光源をさらに備え、前記フレネルレンズが焦点を形成し、前記焦点が前記ミラーと前記投影レンズとの間に位置し、前記焦点へのアクセスを制限するために、保護枠をさらに備える、請求項１０に記載の投影システム。
【請求項１４】
前記投影レンズの焦点距離が約３５５ｍｍであり、前記フレネルレンズの焦点距離が約１７５ｍｍである、請求項１０に記載の投影システム。
【請求項１５】
ａ）フレネルレンズと、
ｂ）凹面および凸面を有する単一要素メニスカス投影レンズと、
ｃ）前記フレネルレンズと前記投影レンズとの間の光路に配置された折り畳み式ミラーと、を備えるオーバーヘッドプロジェクタであって、
ｄ）前記投影レンズが、前記フレネルレンズに光学的に面する凹面を有するように指向されるオーバーヘッドプロジェクタ。
【請求項１６】
ＦＦｒｅｓ＝（ＦＬｅｎｓ（ＭＬｅｎｓ＋１）／ＭＬｅｎｓ−ＳＬＤ）／（ＭＦｒｅｓ＋１）
であり、前記フレネルレンズは焦点距離ＦＦｒｅｓおよび倍率ＭＦｒｅｓを有し、前記投影レンズは焦点距離ＦＬｅｎｓおよび倍率ＭＬｅｎｓを有し、ＳＬＤは前記絞り位置から前記投影レンズまでの距離である、請求項１５に記載のオーバーヘッドプロジェクタ。
【請求項１７】
前記絞り位置が前記ミラーと前記投影レンズとの間である、請求項１６に記載のオーバーヘッドプロジェクタ。
【請求項１８】
２５０ｍｍ＜ＦＬｅｎｓ＜４００ｍｍ
である、請求項１６に記載のオーバーヘッドプロジェクタ。
【請求項１９】
前記ミラーは、前記フレネルレンズによって形成される光円錐のサイズに適合するようにサイズ決めされる、請求項１５に記載のオーバーヘッドプロジェクタ。
【請求項２０】
投影ヘッドがミラーおよび投影レンズを備え、前記投影ヘッドが前記フレネルレンズによって規定される光円錐の胴の前に光学的に配置される、請求項１５に記載のオーバーヘッドプロジェクタ。
【発明の詳細な説明】
【技術分野】
【０００１】
本発明は、オーバーヘッドプロジェクタに関する改良した光学設計に関する。さらに詳細には、本発明は、オーバーヘッドプロジェクタの高さプロファイルを縮小し、観客によりよい視線を提供することができる逆型投影ヘッドに関するシングレットレンズ光学設計を有するオーバーヘッドプロジェクタに関する。
【背景技術】
【０００２】
従来のオーバーヘッドプロジェクタは、光源と、水平光透過ステージと、ステージの上に懸架された投影ヘッドと、を備えている。ステージは、フレネルレンズを備えている。図１に示されているように、単一要素メニスカス投影レンズを用いた従来のオーバーヘッドプロジェクタでは、光は、光源から投影対象の画像を含む透明な物体が位置しているステージの下にあるフレネルレンズを通る。光は透明な物体を通過した後、単一要素メニスカス投影レンズに達し、折り畳み式ミラーで投影スクリーンに向かって反射される。良い画質を得るために、メニスカス投影レンズの凸面はステージに面していなければならず、投影ランプからの光はメニスカス投影レンズの凹面から特定の距離にある絞り位置で集光される。投影レンズは、有効絞り位置を規定するフレネルレンズ焦点距離によって、たとえば非特許文献１に記載されているようなカメラ後方ランドスケープレンズのようにある程度作用する。
【０００３】
投影レンズの焦点距離および投影スクリーンまでの距離は、結像される画像を形成するために、ステージとレンズとの間の必要な距離（その結果、投影ヘッド高さ）を決定する。画像倍率約６×で焦点距離２９２ｍｍの投影レンズの場合には、代表的な投影ヘッド高さは約４２０ｍｍである。
【０００４】
突出している長い投影ヘッドは、スクリーンの観客の視野を遮る傾向がある。その結果、投影ヘッドの高さを下げようとする試みがなされている。
【０００５】
別の投影設計は、「逆型ヘッド」プロジェクタと呼ばれている。図２ａに示されているように、逆型ヘッドプロジェクタでは、光が透明な物体を通過し、折り畳み式ミラーで反射され、投影レンズを通過して、投影スクリーンに向かうように、投影レンズが位置決めされている。ミラーは光路を折り畳んで、非逆型ヘッドアセンブリを用いた場合よりステージに近い位置に投影ヘッドアセンブリ（折り畳み式ミラーおよび投影レンズを備える）を配置することができる。しかし、ミラーはベースにより近く（光円錐の胴から最も遠くで）光円錐の先端を切っているため、ミラーの寸法は従来のヘッドプロジェクタに必要な寸法より大きい。図２ｂは、画像倍率約６×で投影ヘッド高さ約３２０ｍｍで２９２ｍｍの投影レンズに関するミラーの例示の寸法を示している。
【０００６】
その結果、投影ヘッドが下の方に配置され、投影ヘッドのサイズが大きくなる。高さの低くて大きい投影ヘッドは、より高いがより小さい投影ヘッドと同様に、目障りであると考えられる。
【０００７】
さらに、たとえば逆向きなどのレンズの下に位置するミラーを有する単一要素メニスカス投影レンズは、レンズの凹面に面するレンズの前方にプロジェクタの絞り位置を配置する。これは優れた光学性能を提供するが、これは、投影レンズの前方の開いた空間に直接「ホットスポット」を形成する。高出力ランプを用いたオーバーヘッドプロジェクタにおいて、無防備のホットスポットは、可燃材料を発火させるのに十分であるか、または利用者を傷付ける可能性がある温度に達する恐れがある。
【非特許文献１】ルドルフ・キングスレーク（Ｒｕｄｏｌｐｈ  Ｋｉｎｇｓｌａｋｅ）著、「レンズ設計の基本（Ｌｅｎｓ  Ｄｅｓｉｇｎ  Ｆｕｎｄａｍｅｎｔａｌｓ）」
【発明の開示】
【発明が解決しようとする課題】
【０００８】
必要とされているのは、観客の視線の障害物を低減する光学設計を有するオーバーヘッドプロジェクタである。
【課題を解決するための手段】
【０００９】
本発明は、フレネルレンズを備える透過ステージと、ステージの上に配置された投影ヘッドと、を備えるオーバーヘッドプロジェクに関する。投影ヘッドは、ミラーおよび単一要素メニスカス投影レンズを備えている。フレネルレンズの焦点は、投影レンズの絞り位置を規定する。フレネルレンズは光円錐を規定し、ミラーはミラーにおける光円錐のサイズに対応する寸法を有する低いプロファイルのミラーである。
【００１０】
光路は、フレネルレンズから投影ヘッドまでと、フレネルレンズから投影面上までと、によって規定される。ミラーは光路に沿って投影レンズの前方に配置され、投影レンズの絞り位置は投影レンズとミラーとの間である。
【００１１】
光学設計は、以下の式のように配置される。
ＦＦｒｅｓ＝（ＦＬｅｎｓ（ＭＬｅｎｓ＋１）／ＭＬｅｎｓ−ＳＬＤ）／（ＭＦｒｅｓ＋１）
（式中、フレネルレンズは焦点距離ＦＦｒｅｓおよび倍率ＭＦｒｅｓを有し、投影レンズは焦点距離ＦＬｅｎｓおよび倍率ＭＬｅｎｓを有し、ＳＬＤは投影レンズ絞り位置から投影レンズまでの距離である。）
【００１２】
単一要素メニスカスレンズは、凸面および凹面を備えている。本発明の新規な構成では、投影レンズの凹面はミラーに面し、凸面はスクリーンに面している。「面する」なる語は、光路に沿った位置に関して参照される。
【００１３】
本発明の別の実施形態では、
２５０ｍｍ＜ＦＬｅｎｓ＜４００ｍｍ
である。
【００１４】
第１の例示的実施形態において、投影レンズの焦点距離は約３５５ｍｍであり、フレネルレンズの焦点距離は約１７５ｍｍである。第２の実施形態において、投影レンズの焦点距離は約２９２ｍｍであり、フレネルレンズの焦点距離は約１４０ｍｍである。第３の例示的実施形態において、投影レンズの焦点距離は約４００ｍｍであり、フレネルレンズの焦点距離は約２００ｍｍである。
【００１５】
オーバーヘッドプロジェクタは、光源をさらに備えることができ、フレネルレンズは焦点を形成し、焦点はミラーと投影レンズとの間に位置している。焦点へのアクセスを制限するために、保護枠を配置してもよい。
【発明を実施するための最良の形態】
【００１６】
本発明は、逆型ヘッドを備える光学設計を利用している。図３、図５、図６に示されているように、プロジェクタ１００は、本体１１０と、ヘッド支持アーム１２０と、ヘッドアセンブリ１３０と、を備えている。本体１１０は、下に位置するフレネル集光レンズを有する透過ステージ１１２を備えている。本体１１０の内部には、光源（図示せず）が存在する。アーム１２０は、ステージ１１２の上方にヘッドアセンブリ１３０を懸架している。図６においてよく分かるように、ヘッドアセンブリ１３０は、レンズ１３２およびミラー１３４を備えている。好ましい実施形態において、ミラー１３４は、保管中に折り畳むために点１４２に蝶着されている。
【００１７】
「折り畳み可能なポストを有する低プロファイルオーバーヘッドプロジェクタ（Ｌｏｗ  Ｐｒｏｆｉｌｅ  Ｏｖｅｒｈｅａｄ  Ｐｒｏｊｅｃｔｏｒ  Ｈａｖｉｎｇ  ａ  Ｆｏｌｄａｂｌｅ  Ｐｏｓｔ）」という名称の関連出願にさらに詳細に記載されているように、アームおよび投影ヘッドは、保管しやすいようにするために、オーバーヘッドプロジェクタ本体１１０の側面に折り畳むことができる。
【００１８】
図２に示されているＯＨＰのように、光はステージ１１２上に配置された透明画を通過し、折り畳み式ミラー１３４で反射され、投影レンズ１３２を通過して、投影スクリーン（図示せず）に向かうように、投影レンズ１３２が位置決めされる。投影レンズ１３２は、凹面および凸面を有する単一要素メニスカスレンズである。ミラー１３４は光路を折り畳んで、非逆型ヘッドアセンブリを用いた場合よりステージに近い位置に投影ヘッドアセンブリ１３０を配置することができる。有効絞り位置１３６は、投影レンズ１３２と透過ステージ１１２との間にある。さらに正確に言えば、投影レンズに対してステージフレネルレンズ１１２によって形成される有効絞り位置は、ミラー１３４と投影レンズ１３２との間にある。
【００１９】
しかし、本発明は、光学設計において他の逆型ヘッド設計と異なる。これまでの設計は多素子投影レンズが用いられ、単一要素メニスカス投影レンズによって優れた光学性能を得るために必要であるような投影レンズの外側に絞りを配置する必要はなかった。本発明の設計は、メニスカスレンズの配向を逆転し、投影レンズとステージとの間に絞り位置およびフレネルレンズの焦点位置を配置している。これにより、従来の投影ヘッド構成より短い焦点距離のフレネルレンズが必要である。この新規な設計は、投影レンズに関して優れた光学性能を提供し、逆型折り畳みミラーのサイズを最小限に抑える。
【００２０】
図２Ｂおよび図４Ｂを比較することによって、いかにして本発明の光学設計がミラーのサイズを著しく縮小し、投影ヘッドのサイズを縮小することができるかが分かる。また、図１および図４Ａを比較することによって、本発明による投影ヘッドの高さの縮小についても理解されると思われる。
【００２１】
本発明の光学設計の実施形態は、フレネルレンズのより短い焦点距離と組み合わせ、約３５５ｍｍのより長い焦点距離のシングレット投影レンズ１３２を備えている。凹面が従来のプロジェクタのようにステージではなく、スクリーンに向かい、凹面が投影面（スクリーン）ではなくミラー（およびステージ）に光学的に面するように、シングレット投影レンズ１３２が位置決めされる。
【００２２】
従来の光学と同様の投影レンズを用いた前方ランドスケープレンズ設計を備えた逆型ヘッドオーバーヘッドプロジェクタは、約１７４ｍｍのフレネルレンズ焦点距離および約２９２ｍｍの投影レンズ焦点距離を有することができる。図９および図１０は、ステージ上、約３６５ｍｍに絞りを備えたこのシステムの像面湾曲および光学的歪みを示している。図９および図１０に示されているように、このようなシステムは貧弱な光学性能を提供すると推測される。
【００２３】
本発明による逆型ヘッドオーバーヘッドプロジェクタは、約１７４ｍｍのフレネルレンズ焦点距離および約３２０ｍｍ〜３９０ｍｍの範囲にある約３５５ｍｍの投影レンズ焦点距離を有することができる。フレネルレンズ焦点距離は、絞り位置が画質のために最適な位置になるように、シングレットレンズ焦点距離と適合させる必要がある。レンズ焦点距離、レンズの曲げ、非球面レンズ面または球面レンズ面、絞り位置の最適な組合せを選択することによって、投影シングレットレンズの光学性能を最適にすることができる。図７および図８は、ステージ上、約３６５ｍｍに絞りを備えたこのシステムの像面湾曲および光学的歪みを示している。図７および図８に示されているように、逆型３５５ｍｍシングレットは、優れた光学性能を示す。
【００２４】
より短い焦点距離のフレネルレンズを組み合わせた前方ランドスケープレンズ設計において、より長い焦点距離のシングレットを用いることにより、最適な光学性能を得るために絞り位置を選択することができる。以下の条件、すなわち光円錐の胴がシングレットに関する有効絞り位置に位置決めされる条件を満たすように、フレネル焦点距離および投影レンズ後方焦点距離の最適な組合せを決定することが可能である。この配置は、問題のシステムに関する光学性能を最適にする。このように、適切な焦点距離のフレネルレンズと結合した異なる焦点距離の投影レンズを用いて、本発明のプロジェクタを作製することができる。従来のオーバーヘッドプロジェクの場合には、投影レンズの焦点距離の範囲は２５０ｍｍ〜４００ｍｍであり、投影レンズの画像倍率の範囲は３×〜１２×である。フレネルレンズ焦点距離ＦＦｒｅｓと投影レンズ焦点距離との関係は、以下の式という形で規定されることができる。
ＦＦｒｅｓ＝（ＦＬｅｎｓ（ＭＬｅｎｓ＋１）／ＭＬｅｎｓ−ＳＬＤ）／（ＭＦｒｅｓ＋１）（式１）
（式中、ＦＦｒｅｓはフレネルレンズの焦点距離であり、ＦＬｅｎｓは投影レンズの焦点距離であり、ＭＦｒｅｓはフレネルレンズの倍率であり、ＭＬｅｎｓは投影レンズの倍率であり、ＳＬＤは絞りから投影レンズまでの距離である。）
【００２５】
たとえば、画像倍率ＭＬｅｎｓ＝５．７×、フレネル倍率ＭＦｒｅｓ＝１．１×、投影レンズに対する絞りの距離ＳＬＤ＝５０ｍｍの場合には、投影レンズ焦点距離およびフレネルレンズ焦点距離の以下の組合せによって、本発明の条件を満たすことが可能である。
【００２６】
【表１】
2004523007.tif 000003
【００２７】
さらに、投影レンズに対する最適な絞りの距離ＳＬＤのほか、レンズ焦点距離、レンズの曲げ、非球面レンズ面または球面レンズ面を含む可能性、絞り位置をはじめとする投影レンズ設計の選択により、プロジェクタの必要な倍率範囲にわたる全体の投影された画像に関して、優れた画質を提供する。ランドスケープレンズ設計の最適化に関する一般的な概念は、ルドルフ・キングスレーク（Ｒｕｄｏｌｐｈ  Ｋｉｎｇｓｌａｋｅ）著、「レンズ設計の基本（Ｌｅｎｓ  Ｄｅｓｉｇｎ  Ｆｕｎｄａｍｅｎｔａｌｓ）」に記載されている。
【００２８】
本発明により、ステージのより近くに投影ヘッドアセンブリを配置することができ、観客がプロジェクタヘッドの上部を越えて見やすいようになっている。また、本発明は、逆型投影ヘッド折り畳み式ミラーのサイズを縮小し、観客がプロジェクタヘッドの周囲を見やすいようになっている。
【００２９】
たとえば、図１において既に示したように、１８２ｍｍフレネルレンズと、ステージに面した凸面を有する２９２ｍｍシングレット投影レンズと、を備えている従来の光学による非逆型ヘッドオーバーヘッドプロジェクタは、６０インチ（１５２．４ｃｍ）のワイドスクリーン画像の場合、光軸の折り畳み点（ヘッドの中心）に約４１９ｍｍのヘッドアセンブリ高さを有することができる。対照的に、図４に示されているような本発明による光学設計を備えた逆型ヘッドオーバーヘッドプロジェクタは、６０インチ（１５２．４ｃｍ）のワイドスクリーン画像の場合、光軸の折り畳み点（ヘッドの中心）に約３２２ｍｍのヘッドアセンブリ高さを有することができる。
【００３０】
同様に、従来の光学による逆型ヘッドオーバーヘッドプロジェクタは、ステージからのフレネル焦点距離約４０４ｍｍおよび投影レンズ焦点距離約２９２ｍｍを有することができる。このシステムは、図２ｂに示されているように２７７平方ｃｍの折り畳み式ミラーを必要とすると推測される。対照的に、本発明による逆型ヘッドオーバーヘッドプロジェクタは、ステージからのフレネル焦点距離約３６５ｍｍおよび投影レンズ焦点距離約３５５ｍｍを有することができる。このシステムは、１５１平方ｃｍのより小さい折り畳み式ミラーを必要とすると推測される。
【００３１】
さらに、本発明は、凸面がスクリーンに面するように、メニスカス投影レンズの回転を組み込んでいる。本発明の光学設計は、投影レンズの後ではなく、折り畳み式ミラーと投影レンズとの間に照射光の焦点を置く。この位置により、有効絞り位置を完全に包囲しやすく、および／またはその点へのアクセスを制限しやすいため、利用者に対して起こりうる熱による危険性を低減することができる。図６のプロジェクタヘッドアセンブリ１３０において、投影レンズ１３２および折り畳み式ミラー１３０を保持するレンズアーム１４０は、焦点へのアクセスを制限するように設計されており、保護枠をなしている。他の実施形態は、メッシュカバーまたはプラスチックカバーなどのさらなる保護枠を備えることができる。
【００３２】
本発明は例示の好ましい実施形態を参照して説明してきたが、本発明は本発明の精神を逸脱することなく他の特定の形態に具現化することも可能である。したがって、本願明細書で記載され図示された実施形態は例示のために過ぎないと理解すべきであり、本発明の範囲を限定するものと考えるべきではない。本発明の精神および範囲によれば、他の変形および修正も可能である。
【図面の簡単な説明】
【００３３】
【図１】従来のシングレット投影レンズオーバーヘッドプロジェクタに関する光学設計の概略図である。
【図２】従来のシングレット投影レンズ逆型ヘッドオーバーヘッドプロジェクタの光学設計の概略図およびそのようなプロジェクタに関する例示のミラーの平面図である。
【図３】本発明によるシングレット投影レンズ逆型ヘッドオーバーヘッドプロジェクタの実施形態の側面図である。
【図４】本発明によるＯＨＰの光学設計の概略図および本発明による例示のミラーの平面図である。
【図５】図３に示されたオーバーヘッドプロジェクタの斜視図である。
【図６】図１に示されたオーバーヘッドプロジェクタの投影ヘッドアセンブリの側面図である。
【図７】逆型ヘッド構成における２９２ｍｍの従来のオーバーヘッドプロジェクタシングレットレンズに関する子午平面（Ｔ）およびサジタル平面（Ｓ）の像面湾曲のプロットである。
【図８】図７に示された同一の光学に関する光学的歪みのプロットである。
【図９】逆型ヘッド構成における３５５ｍｍのオーバーヘッドプロジェクタシングレットレンズに関する子午平面（Ｔ）およびサジタル平面（Ｓ）の像面湾曲のプロットである。
【図１０】図８に示された同一の光学に関する光学的歪みのプロットである。
【国際公開パンフレット】
2004523007.tif 000004
2004523007.tif 000005
2004523007.tif 000006
2004523007.tif 000007
2004523007.tif 000008
2004523007.tif 000009
2004523007.tif 000010
2004523007.tif 000011
2004523007.tif 000012
2004523007.tif 000013
2004523007.tif 000014
2004523007.tif 000015
2004523007.tif 000016
【国際調査報告】
2004523007.tif 000017
2004523007.tif 000018